Podtech/llm-jp-corpus-v4-ja_patent huggingface dataset:
(57)【要約】【課題】  新規な構造の充放電器及び充電器を提供することを目的とする。【解決手段】  １は充電器部分を構成する充電ブロック、２は放電器部分を構成する放電ブロックであり、充電ブロック１の両側面にはそれぞれ一対のバッテリ着脱機構部３・・・を備える。バッテリ着脱部３は、上下方向に作動可能な頂部着脱操作部４、Ｖ字状の上部着脱機構部５、及び矩形ブロック状の下部電気的接続部６とからなる。頂部着脱操作部４は、上下方向に作動可能な着脱操作ボタン部７を備える。上部着脱機構５は、充電ブロック１の側面に形成した溝部８と、実質的に溝部８内で水平方向に作動可能な着脱操作レバー部９を備える。【選択図】  図７
2006079865.tif 000002
【特許請求の範囲】
【請求項１】
充電器部分に、少なくとも一つのバッテリを着脱可能な着脱部を備え、該着脱部が、取り付けたバッテリを解放するための機構を一対備えることを特徴とする充電器。
【請求項２】
充電器部分と放電器部分とからなり、少なくとも一つのバッテリを着脱可能な着脱部を備え、該着脱部が、取り付けたバッテリを解放するための機構を一対備えることを特徴とする充放電器。
【発明の詳細な説明】
【技術分野】
【０００１】
本発明は、充電器部分を備える充電器と、充電器部分と放電器部分とからなる充放電器
に関するものである。
【背景技術】
【０００２】
近年、リチウムイオン二次電池やニッケル水素二次電池あるいはＮｉ−Ｃｄ（ニッケル−カドミウム）二次電池などのような、繰り返し充放電が可能な種々の二次電池が開発されて実用に供されている。これらの二次電池は一般に、充電電圧および充電電流を所定の適正範囲内に制御しながら、また過充電にならないようにしながら、充電を行うことが要請される。
【発明の開示】
【発明が解決しようとする課題】
【０００３】
本発明は、新規な構造の充放電器及び充電器を提供することを目的とする。
【課題を解決するための手段】
【０００４】
本発明の請求項１に係る充電器は、充電器部分に、少なくとも一つのバッテリを着脱可能な着脱部を備え、該着脱部が、取り付けたバッテリを解放するための機構を一対備えることを特徴とする。
【０００５】
本発明の請求項２に係る充放電器は、充電器部分と放電器部分とからなり、少なくとも一つのバッテリを着脱可能な着脱部を備え、該着脱部が、取り付けたバッテリを解放するための機構を一対備えることを特徴とする。
【発明の効果】
【０００６】
本発明は、充放電器及び充電器において新規なバッテリの着脱構造を提供できる。
【発明を実施するための最良の形態】
【０００７】
以下本発明を実施するための最良の形態を、図に示す実施例を参照して説明する。
【実施例１】
【０００８】
各図は本発明に係る充放電器の一実施例を示す。図中、１は充電器部分を構成する充電ブロック、２は放電器部分を構成する放電ブロックであり、充電ブロック１の両側面にはそれぞれ一対のバッテリ着脱機構部３・・・を備える。バッテリ着脱部３は、上下方向に作動可能な頂部着脱操作部４、Ｖ字状の上部着脱機構部５、及び矩形ブロック状の下部電気的接続部６とからなる。頂部着脱操作部４は、上下方向に作動可能な着脱操作ボタン部７を備える。上部着脱機構５は、充電ブロック１の側面に形成した溝部８と、実質的に溝部８内で水平方向に作動可能な着脱操作レバー部９を備える。
【図面の簡単な説明】
【０００９】
【図１】本発明に係る充放電器の一実施例の正面図
【図２】同背面図
【図３】同平面図
【図４】同底面図
【図５】同右側面図
【図６】同左側面図
【図７】同正面側から見た斜視図
【図８】同背面側から見た斜視図
【図９】同内部機構を示す斜視図
【図１０】同頂部着脱操作部を示す斜視図
【符号の説明】
【００１０】
１  充電ブロック
２  放電ブロック
３  バッテリ着脱機構部
４  頂部着脱操作部
５  上部着脱機構部
６  下部電気的接続部
７  着脱操作ボタン部
８  溝部
９  着脱操作レバー部
【図１】
2006079865.tif 000003
【図２】
2006079865.tif 000004
【図３】
2006079865.tif 000005
【図４】
2006079865.tif 000006
【図５】
2006079865.tif 000007
【図６】
2006079865.tif 000008
【図７】
2006079865.tif 000009
【図８】
2006079865.tif 000010
【図９】
2006079865.tif 000011
【図１０】
2006079865.tif 000012
(57)【要約】【課題】  三味線の撥先端部に傾斜面を設け、演奏技術の難しい技法である「掬い撥」を弾き易くしなおかつ手首の負担を軽減する三味線の撥を提供する。【解決手段】撥本体中途より撥先まで適度の厚みを設け、撥先端部に上傾斜面ならびに下傾斜面を設け、撥先端部を鋭角状にすることを特徴とする三味線の撥。【選択図】図１
2006079035.tif 000002
【特許請求の範囲】
【請求項１】
撥の本体中途より撥先まで適度の厚みを設け、撥先端に上傾斜面ならびに下傾斜面を設け、先端部を鋭角状にすることを特徴とする三味線の撥である。
【発明の詳細な説明】
【技術分野】
【０００１】  本発明は、三味線の撥先端部に傾斜面を設け、演奏技術の難しい技法である「掬い撥」を弾き易くし、なおかつ手首の負担を軽減する三味線の撥に関するものである。
【技術背景】
【０００２】  従来の撥は、撥先全体を扁平状に薄くし撥先端のしなりで三味線糸を引っ掛けながら弾いていた。
【発明の開示】
【発明が解決しようとする課題】
【０００３】  そのため次の問題点があった。
（イ）三味線糸を撥先端で引っ掛けて弾く時、撥先端がしなりきれず弾き損じが生じやすい、そのため三味線糸を上から強く弾く必要が生じ、手首にかなりの負担がかかる。
（ロ）三味線糸を撥先端で下から上に弾く「掬い撥」という技法を速く正確に弾くのには、より一層難しく手首にかなりの負担がかかる。
本発明は以上の問題点を解決するためのものである。
【課題を解決するための手段】
【０００４】  撥本体中途より撥先まで適度の厚みを設け、撥先端に上傾斜面ならびに下傾斜面を設け、撥先端部を鋭角状にすることを特徴とする三味線の撥である。
【発明の効果】
【０００５】  三味線の糸を弾く時、撥先端のしなりで弾くのではなく撥先端上下に傾斜面を設けるため、撥先端上及び下の傾斜により三味線糸が滑りやすいので、高度な演奏技術である「掬い撥」も容易に弾ける、なおかつ手首の負担を軽減する。
【発明を実施するための最良の形態】
【０００６】  以下本発明の実施の形態について説明する。
（イ）撥本体（１）の中途（２）より撥先（４）に、適度の厚みを設ける。
（ロ）撥先（４）より先端角（５ａ）から他端の先端角（５ｂ）に到る上傾斜面（６）と、中途（２）より両側の先端角（５ａ）（５ｂ）に向け傾斜面（７ａ）（７ｂ）を設ける。
（ハ）撥本体が表裏同じ形態になる様にする。
（ニ）撥先端（３）より最先端角（５ａ）に到る鋭角上の上先端傾斜面（８）と下先端傾斜面（９）を設ける、同様に先端角（５ｂ）にも上下傾斜面を設ける。
本発明は以上の構成になっている。
本発明を使用する時は、三味線糸を上から弾く時、下先端傾斜面（９）に三味線糸（１１）が掛かるようにして、三味線糸（１１）を上から軽く押える様に力を加えると三味線糸（１１）が下先端傾斜面（９）より先端角（５ａ）に滑って離れ音が出る。三味線糸（１１）を下から「掬う」ときは、上先端傾斜面（８）に三味線糸（１１）が掛かるようにして三味線糸（１１）を下から軽く持ち上げるように力を加えると、三味線糸（１１）が上先端傾斜面（８）より先端（５ａ）に滑って離れ音が出る。このように一定の速さで三味線糸（１１）を上から弾きすぐ三味線糸（１１）を下から「掬う」ときも容易に弾け、なおかつ手首の負担を軽減する。
【図面の簡単な説明】
【０００７】
【図１】本発明の斜視図
【図２】本発明の正面斜視図
【図３】本発明使用状態の要部拡大側面図
【符号の説明】
【０００８】１    撥本体
２    中途
３    撥先端
４    撥先
５    先端角
５ａ  先端角
５ｂ  先端角
６    上傾斜面
７ａ  傾斜面
７ｂ  傾斜面
８    上先端傾斜面
９    下先端傾斜面
１０  下傾斜面
１１  三味線糸
【図１】
2006079035.tif 000003
【図２】
2006079035.tif 000004
【図３】
2006079035.tif 000005
(57)【要約】【課題】打撃によって与えられた振動を妨げる事を少なくし、余音のある美しい音色を得ようとしたものである。【解決手段】  音板を左右よりカットし、そこに音板保持用材を用いて組上げたもので、音板保持による抵抗を最小限にする事が出来た。【選択図】図１
2006079034.tif 000002
【特許請求の範囲】
【請求項１】
２つの取付位置を持つ音板の、その取付位置を、左右より、一方又は片方を、一部又は全部をカットし、そこに音板連結材の紐・ワイヤーロープ等が通る穴を穿ち、又其のカットにより生じた所に、音板保持具を、音板取付枠台又は共鳴ボックスに取付け、緩衝材のフエルト等を介しながら、連結材で、音律順に組上げたところを特徴とする、打楽器の音源。
【請求項２】
請求項１記載（その取付位置を、左右より、一方又は片方の一部又は全部をカットし）の一部をカットする構造を請求項２として設ける。
【発明の詳細な説明】
【技術分野】
【０００１】  本発明は、音板の２つの取付位置の片方又は両方の左右を、夫々カットし、そこに音板保持穴・音板保持具を設けて音板を保持した、楽器に関する。
【背景技術】
【０００２】  ２つの支点を持つ棒の振動を利用したこの種の楽器は、音板を枠木・響板に固定する場合、其の支点位置に上面より穴を穿ち、緩衝材を用いて作られた座板・鋲・釘等で柔かく固定されていた。
【発明の開示】
【発明が解決しようとする課題】
【０００３】  従来の方式は、音板取付部分における音板と、枠木・響板と、緩衝材のフエルト・ゴム等との間に、音板の自重により消音効果が生じ、打撃によって生じた振動が、十分振動する事が出来ず、余音の少ない味気のない音になっているので、その欠点を解決しようとしたものである。
【課題を解決するための手段】
【０００４】  音板の取付部分を左右よりカットし、そこに音板保持穴を穿ち、緩衝材のフエルト・ゴム等をはさみつつ、音板保持用のワイヤーロープ又は紐を通し、それを音板保持具で保持して組上げ、問題点を解決している。
【発明の効果】
【０００５】  上述のように、発明による音板の保持する構造は、音板を保持するワイヤーロープ等と接する面を非常に小さくする事が出来、振動を妨げる要素が減り、十分余音が得られる。又、音板の節の部分のカットで、十分音量も得られる。
【発明を実施するための最良の形態】
【０００６】  以下、本発明の実施の形態を図１〜図６に基づいて説明する。【０００７】  図において、１は音源となる音板。１ａは音板の側面を、左右よりカットを施したもの。１ｂは音板のカット部分の横より穿たれた音板穴。２は音板穴１ｂに通された音板１の保持用のワイヤーロープ・紐等。３は音板取付用枠台。共鳴ボックス・響板等を用いる事もある。４は２のワイヤーロープ・紐等を用いて音板１を保持する音板保持具。５は緩衝材のフエルト等。６は音板取付ネジ。７は取付ネジ６にはめられたゴム管。
【実施例】
【０００８】  以下、２支点持つ棒の振動において、１支点のみ実施した場合を記載して見るに、この場合、第１図の側面図により、左支点を本発明案に、右支点を従来の取付方法を用いた時を考えて見るに、左支点は音板１とそれを保持するワイヤーロープ・紐等２との接触面は細線で表せる程度で、右支点の接触面は音板１と音板取付枠台３との間にあるフエルト等５の面積全体で受ける事になり、明らかに振動を阻害する要素が異なり、片方だけ本案を用いても顕著に余音の差が表れる。
【産業上の利用可能性】
【０００９】  本発明の実施例は上述の如き構成よりなるもので、音板１を柔かく無理なく保持する事が出来、余音ある美しい音が得られる。又音量を損なう事なく、音板組上寸法を短く出来るこの構造は、音源幅に制約を受ける有鍵楽器製造には本当の強みである。
【図面の簡単な説明】
【００１０】
【図１】音源を平形に置いた場合の平面図
【図２】図１の側面図におけるＡ−Ａ線断面図の拡大図。
【図３】音源を堅形に置いた場合の正面図
【図４】図３におけるＢ−Ｂ線断面図の拡大図
【図５】音源一部カットの場合の平形に置いた場合の１音源の平面図の拡大図
【図６】図５における側面図。
【符号の説明】
【００１０】１    音板
１ａ  カット部
１ｂ  音板穴
２    紐
３    枠台
４    音板保持具
５    フエルト
６    音板取付ネジ
７    ゴム管
【図１】
2006079034.tif 000003
【図２】
2006079034.tif 000004
【図３】
2006079034.tif 000005
【図４】
2006079034.tif 000006
【図５】
2006079034.tif 000007
【図６】
2006079034.tif 000008
(57)【要約】      （修正有）【課題】眼鏡のフレームの弦を二段折れにし、レンズ及びレンズ枠の重量が鼻パットを支点として顔の前方方向に働かず、真下に働く様にする事で眼鏡が下にずれない様にする。【解決手段】レンズ（１１）或いは、レンズの枠（２）にヒンジー部（３）で接続された弦（４）がヒンジー部（３）と耳掛け部（７）の間において、耳掛け部（７）の鼻（８）より側で耳（６）を越えた部分（曲げ点１３）から弦（４）を下方向に曲げ、適当な位置（曲げ点１４）で再びヒンジー部（３）に向けて曲げる。【選択図】図２
2006079031.tif 000002
【特許請求の範囲】
【請求項１】
眼鏡においてレンズ（１１）或いは、レンズの枠（２）にヒンジー部（３）で接続された弦（４）がヒンジー部（３）と耳掛け部（７）の間において複数の曲げを設けた弦（４）を有する眼鏡フレーム。
【請求項２】
請求項１の眼鏡フレームからなる眼鏡。
【発明の詳細な説明】
【発明の詳細な説明】
【産業状の利用分野】
眼鏡特に遠近両用の眼鏡の利用者、労働、スポーツ等で汗をかく眼鏡利用者。
【背景技術】
【０００１】従来の眼鏡フレームでは次の様な欠点があった。【０００２】遠近両用レンズの老眼鏡部（１２）はレンズの下側約１／３からレンズの下端迄が範囲である。この狭い範囲を使用する場合、目の視点を下側に下げて見なければならない。（図３を参照）【０００３】顔や耳に汗をかくと小鼻（９）に乗せた鼻パット（５）が小鼻（９）の鼻梁を下方にズレてレンズの老眼鏡部分（１２）が下がり、目の視野の下方限界線（１９）より下になるので老眼鏡部分（１２）で物を見ることが出来なくなっていた。（図４を参照）【０００４】又遠近両用の眼鏡でない場合でも眼鏡が下へずれるとだらしなく見えて悪い印象を他人に与えていた。
【発明が解決しようする課題】
【０００５】従来の眼鏡のフレーム（１）の場合を図２で説明すると、小鼻（９）に鼻パット（５）を掛け、耳掛け部（７）を耳（６）に掛けると耳（６）の方がヒンジー部（３）より上方に位置するので、レンズ（１１）或いは、レンズ枠（２）は鼻パット（５）を支点として上部が前方に傾く、
【０００６】この為レンズ（１１）或いは、レンズ枠（２）には矢印（１５）方向に力が働き耳掛け部（７）にも矢印（１６）方向の力が働くので、耳掛け部（７）が上方向にずれ、耳掛け部（７）で鼻パット（５）を小鼻（９）に固定できなくなり鼻パット（５）には矢印（図１の１７）方向つまり、鼻（８）の鼻梁に沿って鼻パット（５）が、矢印（図１の１７）方向に下がり、眼鏡が下にずれていた。この現象は小鼻（９）に汗をかくことで鼻パット（５）と小鼻（９）の間の摩擦抵抗が減少する為に顕著に現れていた。本発明は眼鏡が、運動衝撃や汗をかいてもずれない様にする為になされた。
【課題を解決するための手段】
【０００７】本発明の眼鏡のフレーム（１）の場合を図２で説明すると、小鼻（９）に鼻パット（５）を掛け、耳掛け部（７）を耳（６）に掛けても弦（４）は曲げ点（１３）、曲げ点（１４）で段差になって耳（６）より下がっているので、レンズ（１１）、或いはレンズ枠（２）は顔に対してほぼ平行となり、眼鏡の重力は小鼻（９）に対し真下に働く様になった。
【０００８】前方への傾きの力が少なくなる事で、耳掛け部（７）が上方向（矢印１６方向）にずれ耳（６）から離れ無くなり、鼻パット（５）も小鼻（９）から離れないので、鼻梁に沿ってずり落ちない様になった。
【作用】
【０００９】フレーム（１）は小鼻（９）に鼻パット（５）を掛け、耳掛け部（７）を耳（６）に掛けても弦（４）は曲げ点（１３）、曲げ点（１４）で段差になって耳（６）より下がっているのでレンズ（１１）、或いはレンズ枠（２）は顔に対してほぼ平行となり、前方への傾きの力が少なくなり、従来の様な矢印（１５）方向。矢印（１６）方向の力の作用より真下方向へのフレームの重量が勝るため、鼻パット（５）は小鼻（９）を挟み込む様に真下への力が掛かる。
【実施例】
【００１０】レンズ（１１）或いは、レンズの枠（２）にヒンジー部（３）で接続された弦（４）がヒンジー部（３）と耳掛け部（７）の間において、耳掛け部（７）の鼻（８）より側で耳（６）を越えた部分（曲げ点１３）から弦（４）を下方向に曲げ、適当な位置（曲げ点１４）で再びヒンジー部（３）に向けて曲げる。【００１１】これにより耳掛け部（７）とヒンジー部（３）の間で段違いになった弦（４）とする。
【発明の効果】
【００１２】これにより、レンズ（１１）、或いは、レンズ枠（２）が顔の前方への倒れこもうとする、矢印（１５）方向、矢印（１６）方向の力を排除した事で、鼻パット（５）は図２の矢印（１７）方向に力が加わることになり、ほぼ真下に眼鏡の重量が掛かるようにした。
【００１３】以上の効果により鼻パット（５）は下の方が広がった小鼻（９）に常に重量でほぼ真下（図２矢印１７方向）に押さえられているので、眼鏡がずれなくなった。
【００１４】その効果は、いじわるテストとして、小鼻（９）と鼻パット（５）に油を塗布してジャンプしてもずれない程の効果が現れた。この効果を確認する手段として、簡易的には次ぎの手段がある。通常に眼鏡を掛け、耳掛け部を耳に掛けず、耳の外側からはさみ込む、位置は耳の付け根のあたりになる様にし、レンズの上部から押さえてみると、小鼻に食い込む感じが解る。
【図面の簡単な説明】
【図１】従来の眼鏡のフレーム側面図
【図２】本発明の眼鏡のフレーム側面図
【図３】正常な位置のレンズと視野の図
【図４】下にレンズがずれた視野の図
【符合の説明】
１    フレーム              １１    レンズ  ２    レンズ枠              １２    老眼鏡部分  ３    ヒンジー部            １３    曲げ点  １３  ４    弦                    １４    曲げ点  １４  ５    鼻パット              １５    矢  印  １５  ６    耳                    １６    矢  印  １６  ７    耳掛け部              １７    矢  印  １７  ８    鼻                    １８    老眼鏡の視野線  ９    小鼻                  １９    目の視野の下方限界線１０    目
【図１】
2006079031.tif 000003
【図２】
2006079031.tif 000004
【図３】
2006079031.tif 000005
【図４】
2006079031.tif 000006
(57)【要約】【課題】  まず、地図上に透明メッシュシートを合わせる為に１０ｃｍ巾の縦線の平行線を引く必要があります。次に地図上で場所のわかる山小屋、駅、橋などで受信し、基準の点をＡ点とし、その場所にポイントマークをつけＢ点に移動、Ｂ点−Ａ点で移動した方向、距離が計算で求められ透明メッシュシートをＡ点に被せればＢ点の位置が升目で確認ができる。  正合成のあるどんな縮尺の地図であっても、升目の形は変えずに使用ができる。【解決手段】  移動範囲がわかれば山小屋などを基準にした地図にメッシュ方眼を被せてコピーすれば図１のようになり公共地図での利用も可能となる。  又、透明メッシュシートより数値が大きくなった場合は、新たな点をＡ点として増やしながら移動すればいい。  透明メッシュシートは１／１００００の縮尺の地図、Ａ３サイズで、縦４ｋｍ、横３ｋｍの範囲で確認はできるが大きなサイズで作成すれば、全体を確認することができる。【選択図】  図１
2006079037.tif 000002
【特許請求の範囲】
【請求項１】
透明メッシュシートは、縦６ｍｍ、横５ｍｍ位の升目になっており緯度、経度が解れば地図上で基準になる点にポイントを合わせれば位置の確認が簡単に取れ、又、縮尺の違う地図でも利用ができるもので、地図上に透明メッシュシートを被せ、縦、横の升目の数値により位置の確認を取ることを特徴とした透明メッシュシート。
【請求項２】
携帯電話や計算機の画面上に緯度、経度及び縦、横、距離の表示をし、その数値により位置の確認を取る為の計算方法。
【発明の詳細な説明】
【技術分野】
【０００１】  本発明は、地図上での緯度経度に関わる位置の確認を、透明メッシュシートを用いて升目で表示するものである。
【背景技術】
【０００２】  従来、地図上で位置の確認を取る為にはＧＰＳで受信し、その緯度、経度によって位置の確認がなされていた。【０００３】  しかし、山岳地図などでは縮尺が１／５００００と小さく、山岳ルートから外れると位置の確認が取りにくいものであった。【０００４】  これは、縮尺が小さい為に起こりうることであり、確実な位置を知るには縮尺の大きな地図が必要となる。【０００５】  この為に正合性のあるどんな縮尺の地図でも透明メッシュシートを利用して簡単に位置の確認ができる方法を考案した。
【発明の開示】
【発明が解決しようとする課題】
【０００６】  そのためには、次のような問題点があった。
（イ）ＧＰＳで受信しても地図上に緯度、経度の縦線、横線が引かれていないものは位置の確認が出来ないものであった。
（ロ）平成１４年４月１日より、日本測地系から世界測地系への変換により基準にする緯度経度の位置が、地図上で変わった。
（ハ）古い地図では緯度、経度が変わった為に変換しなければ使用できない不便さがあった。
（ニ）公共地図などは、国家座標としての表示はしてあるが、これも位置の確認をとるには、緯度、経度に直す必要があった。
【課題を解決するための手段】
【０００７】  正合性のある地図に透明メッシュシートを被せれば古い地図や座標系の違う地図であっても簡単に位置の確認を升目で取れるものを考案した。【０００８】  この透明メッシュシートは、縦６ｍｍ、横５ｍｍ位の升目になっており緯度経度が解れば地図上で基準になる点を受信し、そこにポイントを合わせれば移動した場所が升目で確認ができるものである。【０００９】  まず地図上に透明メッシュシートを合わせる為に１０ｃｍ巾の縦線の平行線を引く必要がある。【００１０】  次に基準になる地点を地図上で解る場所、例えば山小屋、駅、橋などで受信しＡ点とする。【００１１】  次にＢ点で受信、Ｂ点−Ａ点で計算により、縦、横、距離が表示され透明メッ
2006079037.tif 000003
【００１２】  計算式の流れについて説明する【００１３】  Ａ点  Ｎ３４°−４４′−５２．０″
Ｅ１３５°−５２′−６．０″
Ｂ点  Ｎ３４°−４４′−２３．５″
Ｅ１３５°−５２′−３９．１″
Ｂ点−Ａ点＝Ｎ−２８．５″、  Ｅ３３．１″と求められる。【００１４】  ここに各地域での比率をＮとＥに掛け１秒当たりの距離を求める。【００１５】  計算された値は、図５のようになり、縦−１４、横１７、距離１２１６ｍと表示され、よってここに表現することができる。【００１６】  又、縮尺の違う地図や、公共の地図でも使用が可能となり、正合性のある地図ならば世界中での使用が可能となる。
【発明を実施するための最良の形態】
【００１７】  透明メッシュシートは、形はそのままで、図面の大きさをかえる等、使用に応じての加工ができる。【００１８】  又、図３、図４のように携帯電話や計算機にＧＰＳの受信機と計算プログラムを入力すれば、街中でも使用ができる。
【産業上の利用可能性】
【００１９】  山岳だけではなく海、砂漠、での利用又公共地図を使えば街中でも利用ができ南半球へ行けば、Ｎ方向をＳ方向に向ければ使用が可能となる。
【図面の簡単な説明】
【００２０】
【図１】透明メッシュシートを地図上に被せた平面図である。
【図２】透明メッシュシートの平面図である。
【図３】ＧＰＳ受信機と計算プログラムの組み込まれた携帯電話の斜視図である。
【図４】ＧＰＳ受信機と計算プログラムの組み込まれた計算機の斜視図である。
【図５】緯度経度が表示された説明図である。
【符号の説明】
【００２１】  １  基準Ａ点
２  ＧＰＳ受信機
３  緯度、経度の表示
４  縦−１４、横１７、距離１２１６ｍと表示
【図１】
2006079037.tif 000004
【図２】
2006079037.tif 000005
【図３】
2006079037.tif 000006
【図４】
2006079037.tif 000007
【図５】
2006079037.tif 000008
(57)【要約】【目的】都市河川に架かる橋の交通情報は災害時には特に重要となるため、河川上のロボットから観測した橋の交通情報を無線で送信し、災害時にも有効に作動する交通情報システムを提供する。【構成】河川の水を取り込み、水質浄化部および水質測定部で処理する水中ロボットにおいて、カメラから周辺環境の状況を取り込み、画像処理を行い、有効な情報を通信部より無線で送信する。また、その情報はそのまま表示部で表示される。【選択図】        図１
2006079245.tif 000002
【特許請求の範囲】
【請求項１】
水質を浄化する水質浄化部と、水質を測定する水質測定部と、周辺環境をモニタするカメラ部と、水上および／または水中を移動する運動部と、センサ情報を処理する処理部と、信号を伝送する通信部と、外部に表示する表示部とを備える水中ロボットにより河川上から外部の交通状況を観測することを特徴とする交通情報観測システム。 
【請求項２】
災害時のにも損傷することなく有効に作動することを特徴とする請求項１の交通情報観測システム。
【請求項３】
都市河川の橋上の状況を観測することを特徴とする請求項１または２の交通情報観測システム。
【発明の詳細な説明】
【技術分野】
【０００１】
本発明は、水上のロボットから周辺環境の交通状況を監視する交通情報システムに関する。
【背景技術】
【０００２】
近年の環境問題への意識の高まりにより、河川環境を浄化したいという世論の動きがある。発明者らは河川環境に対応した水中ロボットシステムを開発し、その要望に答えていく際、さらなる技術として、災害時の交通情報を市民に提供する技術を発明するに至った。
【０００３】
従来は、道路交通情報は、道路上で観測しているが、地震などの大規模災害時には破損し、障害となる可能性がある。特に、都市河川に架かる橋の情報は災害時には重要となるため、災害時にも有効に作動する交通情報システムが望まれる。
【特許文献１】特開平５−２０３６３８号公報
【発明の開示】
【発明が解決しようとする課題】
【０００４】
本技術が解決しようとする問題点は、地震などの大規模災害時に道路上の観測機が破損などにより交通情報が得られない点である。そのような災害時にこそ重要である都市河川に架かる橋の交通情報を有効に把握することが可能となる。
【課題を解決するための手段】
【０００５】
従来は道路上で交通状況の観測を行っているが、都市河川で水質浄化や観測を行っている水中ロボットを利用して、河川上から橋の上の交通を観測し、無線により交通情報を伝送する。水上からの観測となるため、震災などの影響を受けにくい。
【発明の効果】
【０００６】
地震などの大規模災害時に道路上の観測機が破損などにより交通情報が得られないような場合にも、交通情報を有効に把握することが可能となる。
【図面の簡単な説明】
【０００７】
水中ロボットは河川で移動できるように運動部を有する。また、河川水を取り込み、水質浄化および水質測定が可能である。カメラから周辺環境の状況を収得し、画像処理して有効な情報を抽出した後、無線で情報を送信する。また、その情報はその場で表示することができる。
【図１】水中ロボットにおける交通情報処理システムを示した説明図である。
【図１】
2006079245.tif 000003
(57)【要約】    【課題】        本発明は静電気を利用した濾過式集塵装置において濾過フィルターによる濾過後の清浄空間側にコロナ始発レベル以上の電界を形成してイオン風を生成し捕集粉塵層に擾乱を生じせしめて低濾過圧損並びに高濾過速度集塵を可能とする装置に関するものである。    【解決手段】    清浄空間側6に放電極2を配置し、直流高電圧を印加して200メッシュ以上の密集度を持つ濾過フィルター1との間に電界並びにイオン風3を構成する。粉塵捕集面4で捕集された粉塵はイオン風により擾乱され密度低下並びに剥離が促進される。【選択図】  図1
2006061805.tif 000002
【特許請求の範囲】
【請求項１】
静電気を利用した濾過式集塵装置において濾過後流側に配置したコロナ始発レベル以上の静電界を形成して濾過面へ向かってのイオン風を生成する直流高電圧荷電部と200メッシュ（空隙0.08ｍｍ）以上の密集度を持つフィルター材を組み合わせる事を特徴とする濾過式集塵装置。
【発明の詳細な説明】
【技術分野】
【０００１】
本発明は静電気を利用した濾過式集塵装置の改良に関するものである。
【背景技術】
【０００２】
濾過式集塵装置は基本的に濾過フィルター部において粉体の機械的分離を行う
ものであるので捕集粉塵層厚が大きくなった場合には濾過抵抗が増大し、又、濾
過速度を高く取った場合にも捕集粉塵が濾過フィルターに押付けられて密度が
高くなり、やはり濾過抵抗が増大する。結果として、これらの条件下においては
急激な圧力損失の上昇や捕集粉体の吹き漏れが発生する。この現象を緩和する為、
予め粉塵を荷電しておき帯電粉塵の電荷放出速度のズレによるフィルター材表
面での捕集粉塵偏積効果を利用したもの（例えば、特許文献1参照）等が考案さ
れている。又、機械的配置のみに着目した場合、本発明と同様に清浄空間側に電
極を配置した例もある（例えば、特許文献２）。
【特許文献１】特開昭52−093271号  公報  （公報第1図参照）
【特許文献２】実開平2−133439号  公報  （公報第1図参照）
【発明の開示】
【発明が解決しようとする課題】
【０００３】
しかしながら、従来の静電気を利用した濾過式集塵装置は対象粉塵に直接電荷を与える事により集塵性能の向上を計るものであり、特許文献1の例では電気抵抗率等による粉塵の電荷保持能力により効果が左右される事や濾過速度を大きくすると濾過圧により静電効果が削減されてしまうと云った欠点があり、更に、集塵前に電荷を与える必要がある為、粉塵による荷電装置の汚損防止対策を行う必要があり、装置が複雑化すると云う欠点があった。尚、特許文献2は濾過後の清浄空間でのイオン生成の為に放電極と対抗電極を構成するものであり集塵装置としての性能向上を計る機能を有するものでは無い。  
【課題を解決するための手段】
【０００４】
本発明はかかる問題点を解決せんとしてなされたもので、濾過フィルターによる
濾過後の清浄空間側に、コロナ始発レベル以上の電界強度を持つ静電界を形成す
る直流高電圧荷電部を配置して、フィルターに向かうイオン風を生成する事によ
り、捕集粉塵層に擾乱を生じせしめて捕集粉塵層の密度を低減すると共に捕集粉
塵の剥離を促進して濾過抵抗を低減し、低圧損・高濾過速度で使用可能な静電気
を利用した濾過式集塵装置を実現する。尚、濾過面後流側は静電界構成の対抗電
極として機能する様濾過フィルターは導電性材料によるか、導電性材料による保
持枠との組み合わせで構成する。
【発明の効果】
【０００５】
本発明により次の効果が実現出来る。
捕集粉塵層の密度を低減する事により濾過抵抗が低減される。
捕集粉塵層の剥離が促進され捕集粉塵層厚を低く押える事が出来る。
濾過後の清浄空間側からの電界形成であるので濾過圧による静電効果の低減が無く濾過速度を大きく取る事が出来る。
フィルター材濾過面の汚損に拘わらない清浄面側からの荷電であるので荷電装置汚損の汚損が無く安定した荷電を維持出来る。
上記の各効果により低濾過圧損、高濾過速度での使用が可能な静電気を利用した濾過式集塵装置を実現出来る。
【発明を実施するための最良の形態】
【０００６】
次に本発明の実施の形態を実施例となる図面を参照して説明する。図１は本発
明の装置を示す側面図で、図２はその平面図である。濾過フィルター1の後流
側にコロナ始発レベル以上の電界強度を得る事が出来る放電極2並びに直流
高電圧荷電装置8を配置する、例えば放電極2を電気集塵装置などにおいて汎
用的に用いられる4ｍｍ角鋼により構成した場合概ね2Kv/cm以上の電界強度
を得る事が出来る直流高電圧荷電装置8とする。尚、直流高電圧荷電装置の極
性は正負どちらでも良く、例えばオゾン生成を避けたい場合は正極性とする等
使用目的により選択する。
【実施例】
【０００７】
図3に濾過フィルターとして200メッシュ（空隙0.08mm）ステンレス製金網と40メッシュ金網（空隙0.46ｍｍ）による保持枠とを円筒状に構成し、中心に4mm角鋼の放電極を配置、濾過速度1.6m/minで電界強度4ｋｖ/ｃｍの正極性直流高電圧荷電を行った場合と荷電を行わなかった場合の集塵経過時間と濾過圧損の関係測定例を示す。9は直流高電圧荷電を行わなかった場合の濾過圧損特性を示し、10は直流高電圧荷電時の濾過圧損特性を示す。直流高電圧荷電により濾過圧損が低下している事が認められる。尚、本実施例において使用した粉体は炭酸カルシウム粉である。
【図面の簡単な説明】
【０００８】
【図１】は本発明の側面図
【図２】は本発明の平面図
【図３】は本発明による濾過フィルター圧損測定例
【符号の説明】
【０００９】
1は濾過フィルター
2は放電極
3は放電極と濾過フィルター間に形成される電界並びにイオン風
4は粉塵捕集面
5は含塵気流流路
6は清浄側空間
7は碍子
8は直流高電圧荷電装置
9は直流高電圧荷電を行わなかった場合の濾過圧損特性
10は直流高電圧荷電を行った場合の濾過圧損特性
【図１】
2006061805.tif 000003
【図２】
2006061805.tif 000004
【図３】
2006061805.tif 000005
(57)【要約】【課題】一度に多くの面積を塗布するために、ローラーの面積（本数）を増やす。複数のローラーが安定して作業できるようにする。また、塗材を塗布するローラーと、それを仕上げるローラーを１つのハンドルで出来るような構造のローラーハンドルを提供する。【解決手段】  ローラーを複数使用できるように、ローラーハンドルの心棒を複数にし、複数のローラーを取り付けられるようにし、複数のローラーが安定して作業できるために端をジョイントバーでつなげられるようにする。これらにより多くの面積を塗布することと異なった複数の工程を１つのハンドルで塗布することができる様にした。【選択図】        図２
2006061893.tif 000002
【特許請求の範囲】
【請求項１】
１つのローラーハンドルで複数のローラーが使用できるようにした多目的用ローラーハンドル。
【請求項２】
複数のローラーが平行に作動できるように端をつなげられる構造のローラー。
【発明の詳細な説明】
【発明の詳細な説明】
【技術分野】
【０００１】  本発明品は、塗布面積を増加させるために複数のローラーを使用できるようにしたものである。また、塗布する工程や仕上げする工程の異なった作業を一緒にできるようにしたものである。
【背景技術】
【０００２】  従来品は、１つのローラーハンドルに１つのローラーしか取り付けできなかった。
【発明が解決しようとする課題】
【０００３】  多くの面積を塗布しようとした場合、多くの塗布材を含浸させなければならない。１つのローラーではどんなに浸漬させても限界がある。ローラーを複数取り付けられれば、従来の１つのローラーの倍以上の面積を塗布する事が可能になる。また、従来は塗材を塗布する工程と仕上げする工程を２つ以上の複数のローラーハンドルで実施していた工程が１つのローラーハンドルで可能になった。本発明品はこの課題を解消するためになされたものである。
【課題を解決するための手段】
【０００４】  ローラーハンドルに複数のローラーを取り付け、ローラーの端をつないで安定させ、従来品の塗装面積に対し倍以上の面積を塗布することが可能になった。また、ローラーを複数取り付けられるようにした事により、１つのローラーハンドルで違う塗布工程が同時にできるようになった。
【発名の実施の形態】
【０００５】以下、本発明の実施形態について説明する。
（イ）ローラーハンドルの心棒を複数にして、複数のローラーを取り付けられるようにする。
（ロ）複数のローラーが平行に作業できるように複数のローラーをつなげられるようにする。
【発明の効果】
【０００６】  ローラーの本数を増やして、複数のローラーが平行に作動する事により、一度に多くの面積を塗布することが簡単にできる。また、塗材を塗布する工程と均一、またはパターン仕上げ工程が１つのハンドルで簡単に出来る。それらにより作業能率が良くなり、人の工数も少なくなって工期の短縮にもつながる。
【図面の簡単な説明】
【図１】本発明品の側面図である。
【図２】本発明品の平面図である。
【符号の説明】
１コア
２ローラー
３心棒
４ジョイントバー
【図１】
2006061893.tif 000003
【図２】
2006061893.tif 000004
(57)【要約】【課題】生分解可能なダクト用フィルターを提供する。【解決手段】天然繊維からなる布帛に不燃液体を含浸させてなることを特徴とするダクト用フィルター。である。不燃液体としては、金属アルミニウム又は金属シリコンと、水和して硼酸や弗酸を解離する硼砂、硼酸、弗化ソーダ又は弗酸などの鉱酸化合物と、苛性カリ、苛性ソーダ又は苛性リチウムのアルカリ金属とを反応させるに際し、水中又は前記鉱酸化合物の溶液中で、前記金属固体と前記アルカリ金属との濃厚溶液反応を生ぜしめ、更に前記鉱酸化合物を反応せしめ、該反応熱を50℃以上100℃以内に制御すると共に、生成物の比重を1.1以上として造膜することを特徴とする水性造膜性無機化合物を使用することができる。【選択図】図１
2006061899.tif 000002
【特許請求の範囲】
【請求項１】
天然繊維からなる布帛に不燃液体を含浸させてなることを特徴とするダクト用フィルター。
【請求項２】
不燃液体が、金属アルミニウム又は金属シリコンと、水和して硼酸や弗酸を解離する硼砂、硼酸、弗化ソーダ又は弗酸などの鉱酸化合物と、苛性カリ、苛性ソーダ又は苛性リチウムのアルカリ金属とを反応させるに際し、水中又は前記鉱酸化合物の溶液中で、前記金属固体と前記アルカリ金属との濃厚溶液反応を生ぜしめ、更に前記鉱酸化合物を反応せしめ、該反応熱を50℃以上100℃以内に制御すると共に、生成物の比重を1.1以上として造膜することを特徴とする水性造膜性無機化合物である、請求項１記載のダクト用フィルター。
【請求項３】
金属アルミニウム又は金属シリコンと、水和して硼酸や弗酸を解離する硼砂、硼酸、弗化ソーダ又は弗酸などの鉱酸化合物と、苛性カリ、苛性ソーダ又は苛性リチウムのアルカリ金属とを反応させるに際し、水中又は前記鉱酸化合物の溶液中で、前記金属固体と前記アルカリ金属との濃厚溶液反応を生ぜしめ、更に前記鉱酸化合物を反応せしめ、該反応熱を50℃以上100℃以内に制御すると共に、生成物の比重を1.1以上として造膜してなる水性造膜性無機化合物を天然繊維からなる布帛に含浸させることを特徴とするダクト用フィルターの製造法。
【発明の詳細な説明】
【技術分野】
【０００１】
本発明は、粒子状物質を捕捉するダクト用フィルター及びその製造法に関する。本発明のダクト用フィルターは、例えば、工場用ダクト、自動車用ダクト、家庭用のレンジフード等に使用することができる。
【背景技術】
【０００２】
従来のダクト用フィルターは、ペットボトルなどから再生した繊維を不織布とし、これを素材にして製造しているものがある。例えば、下記特許文献１を参照。
【特許文献１】特開２０００−３４５７１４
【発明の開示】
【発明が解決しようとする課題】
【０００３】
このような素材から形成されたダクト用フィルターは、長期間の使用の後では、汚れがひどく、さらにリサイクルするのは困難であり、廃棄処分せざるを得ない。しかし、そのような素材は、生分解が不可能なので、土中に埋め立て処分することもできず、ゴミとして燃やすしかない。そうすると、焼却炉に悪影響を与え、有毒ガスをまき散らすことになる。
【０００４】
そこで、本発明では、生分解可能なダクト用フィルター及びその製造法を提供することを目的とする。
【課題を解決するための手段】
【０００５】
本発明のダクト用フィルターは、天然繊維からなる布帛に不燃液体を含浸させてなることを特徴とする。
【０００６】
本発明のダクト用フィルターの製造法は、金属アルミニウム又は金属シリコンと、水和して硼酸や弗酸を解離する硼砂、硼酸、弗化ソーダ又は弗酸などの鉱酸化合物と、苛性カリ、苛性ソーダ又は苛性リチウムのアルカリ金属とを反応させるに際し、水中又は前記鉱酸化合物の溶液中で、前記金属固体と前記アルカリ金属との濃厚溶液反応を生ぜしめ、更に前記鉱酸化合物を反応せしめ、該反応熱を50℃以上100℃以内に制御すると共に、生成物の比重を1.1以上として造膜してなる水性造膜性無機化合物を天然繊維からなる布帛に含浸させることを特徴とする。
【発明の効果】
【０００７】
本発明のダクト用フィルターは、天然繊維からなる布帛に不燃液体を含浸させているだけなので、生分解可能であり、使用後は、土中への埋め立て処分が可能である。
【発明を実施するための最良の形態】
【０００８】
天然繊維は、綿、絹、木綿、麻、レーヨン、等を使用することができ、布帛としては、不織布やネット状の織物、編み物を使用することができる。
【０００９】
不燃液体としては、例えば、特公平７−１４８０１で公知の物質を使用することができる。この物質は、「金属アルミニウム又は金属シリコンと、水和して硼酸や弗酸を解離する硼砂、硼酸、弗化ソーダ又は弗酸などの鉱酸化合物と、苛性カリ、苛性ソーダ又は苛性リチウムのアルカリ金属とを反応させるに際し、水中又は前記鉱酸化合物の溶液中で、前記金属固体と前記アルカリ金属との濃厚溶液反応を生ぜしめ、更に前記鉱酸化合物を反応せしめ、該反応熱を50℃以上100℃以内に制御すると共に、生成物の比重を1.1以上として造膜することを特徴とした水性造膜性無機化合物」である。詳細は同公報を参照。
【００１０】
この物質を原料として製造した不燃液は、例えば、株式会社トラストライフ（金沢市）から「ファイアレスＢ」（商標）又は「ファイアレスＳ」（商標）として市販されている。
【実施例１】
【００１１】
以下、添付の図面に基づき、本発明の実施例を説明する。
【００１２】
図１は、本発明のダクト用フィルター１であり、１００％の綿繊維の不織布２から製造した不織布に不燃液「ファイアレスＢ」（商標）を含浸させたものである。不織布を不燃液「ファイアレスＢ」（商標）に漬け、軽く絞るようにして液を含浸させ、そのまま乾燥させるだけでよい。
【００１３】
このダクト用フィルターを火にかざして耐火実験をしたところ、３０分たっても全く燃焼せず、変色しただけであった。ダクト用フィルターとして十分機能することが分かった。
【図面の簡単な説明】
【００１４】
【図１】本発明のダクト用フィルターの部分拡大図である。
【符号の説明】
【００１５】
１  ダクト用フィルター
２  不織布
【図１】
2006061899.tif 000003
(57)【要約】【目的】亜鉛不足による味覚異常や皮膚障害、鉄不足による貧血、カルシウム不足による骨塩量の低下などによるミネラルの欠乏を改善し、生活の質（ＱＯＬ）の向上を目指す。【構成】本発明は、亜鉛を１００ｐｐｍ以上含む溶液中で、植物天然物を懸濁状態で、非増殖的に攪拌及び／又は振とう処理することにより、亜鉛を含有し得る植物（パパイヤを除く）の粉末などに、乾燥天然物グラム当たり、亜鉛を０．１％以上含んでなる特定保健用食品、栄養（機能）食品等の食品類を提供する。【選択図】    なし【特許請求の範囲】
【請求項１】
亜鉛を含有し得る植物（パパイヤを除く）を亜鉛化合物の溶液に混合して攪拌及び／又は振とうし、この植物を水で洗浄しても前記亜鉛が脱離しない程度に前記亜鉛を前記植物に結合させて生成されることを特徴とする亜鉛増強食品。
【請求項２】
前記亜鉛を１，０００ｐｐｍ以上含有する請求項１に記載の亜鉛増強食品。
【請求項３】
亜鉛を含有し得る植物（パパイヤを除く）を亜鉛化合物の溶液に混合して攪拌及び／又は振とうし、この植物を水で洗浄しても前記亜鉛が脱離しない程度に前記亜鉛を前記植物に結合させることを特徴とする亜鉛増強食品の製造方法。
【発明の詳細な説明】
【技術分野】
【０００１】
本発明は、ミネラル、特に、亜鉛を高濃度に含有する食用天然物及びその製造方法に関する。
【背景技術】
【０００２】
植物に含まれるＺｎ含有天然物や食材には、Ｚｎなどミネラルの含有量が一般に少ない。そのため、味覚異常など、多くの亜鉛欠乏症が生じる。同様に、カルシウム、マグネシウム、及び／又は鉄等も、生体内で重要な役割を担っており、欠乏することがしばしば生じるミネラルである。そのようなミネラルの摂取に充分な食品は、見当たらない。従来の技術としては、ミネラル酵母−Ｚｎが報告されている（例えば、特許文献１参照）。
【０００３】
この出願の発明に関連する先行技術文献情報としては次のものがある。
【特許文献１】特開平８‐３２０８２号公報（第２−７頁）
【発明の開示】
【発明が解決しようとする課題】
【０００４】
亜鉛及び／又はミネラルの必要な摂取量を確保し、又は適切な摂取バランスを維持することは、通常の食事だけでは、相当に困難である。亜鉛は、生体内で約３００種類の酵素やタンパク質に含まれており、活性部位などで重要な役割を担っている。近年、亜鉛不足による味覚異常や皮膚障害、鉄不足による貧血、カルシウム不足による骨塩量の低下などにより、ミネラルの欠乏が重大な問題になっている。
例えば、パパイヤ、マカなどの天然物に含まれる亜鉛量では、生体内への供給という面からは不十分である。そのような課題を克服するために、亜鉛（II）イオンよりも毒性が低く、ほど良い安定性をもち、ほど良い脂溶性をもつ高含有量の亜鉛を含んでなる天然物を食品として提供する必要がある。
【課題を解決するための手段】
【０００５】
本発明は、亜鉛を高濃度に含有してなる天然物と亜鉛源とを含んでなる食品に関する。
本発明で用いられる、亜鉛を含有し得る天然物としては、例えば、パパイヤ、マカなどが好ましいものとして挙げられるが、これらに限定されるものではない。
【０００６】
本発明で用いられる亜鉛源としては、ヒト又は他の動物への投与に好適な亜鉛源であればどのようなものでもよいが、例えば、亜鉛の鉱産塩や亜鉛有機錯体などが好ましいものとして挙げられる。
亜鉛の鉱産塩としては、例えば、酢酸亜鉛、硫酸亜鉛、塩化亜鉛、硝酸亜鉛等が挙げられる。なお、亜鉛源として亜鉛の鉱産塩を使用した場合には、ｐＨ調整剤として、例えば、水酸化カリウム、水酸化ナトリウム、水酸化リチウム、水酸化バリウム等の塩基性水溶液や、クエン酸緩衝液、リン酸緩衝液等の緩衝液を併用してもよい。
亜鉛有機錯体としては、例えば、アミノ酸類、ピコリン酸類、ナイアシン類、ビタミン類、マルトール類、カルボン酸類、オリゴペプチド類、糖類、及びそれらの誘導体を有する有機物類（主に、天然物）からなる群より選ばれた化合物を配位子として有する亜鉛有機錯体が好ましいものとして挙げられる。
【０００７】
本発明に係る亜鉛を高濃度に含有してなる食品は、更に、他の食品類、食品添加物類、ビタミン類及びミネラル類を含んでもよい。
これら他の食品類、食品添加物類、ミネラル類などに関しては、通常、食品などの分野において用いられるもの、或いは将来的にその可能性があるものであれば何れのものでもよい。
本発明にかかわる食品の形状は、粉末状、顆粒状、錠剤型、カプセル、液状、ゲル状、その他いずれの形状のものでもよい。
【発明の効果】
【０００８】
本発明の高亜鉛含有物は、亜鉛不足による味覚障害を改善し、生活習慣病である高脂血症や糖尿病患者などの健康状態をよくし、アテロ−ム性動脈硬化症、心臓血管疾患、高血糖症、狭心症、高血圧症、鬱血性心不全、あるいは糖尿病合併症などの治療・予防にも有用である。
また、通常の食品として摂取することによりダイエット効果も期待される。さらに、本発明の食品は、長期間の摂取においても、実質的な副作用を伴わず、ヒトに優しく、安全である。
【発明を実施するための最良の形態】
【０００９】
以下の実施例は、この発明を説明するために示したものであり、本発明はこれらの実施例に限定されるものではない。例えば、天然物としてミネラルを高濃度に含有してなる天然物を使用することができ、このミネラルがカルシウム、マグネシウム及び／又は鉄であり、カルシウム、マグネシウム及び／又は鉄を多量に含有する食品を用いても良い。また、カルシウム、マグネシウム及び／又は鉄源は鉱産塩又は有機錯体として、１００ｐｐｍ以上含有する溶液中で、好気的条件下、天然物を懸濁状態で非増殖的に攪拌及び／又は振とうして食用天然物を製造することができる。
【実施例１】
【００１０】
亜鉛源として、硫酸亜鉛を用い、亜鉛イオンが溶液中に１００〜１００，０００ｐｐｍとなるように調製し、各濃度の亜鉛溶液１００ｍｌあたり１０ｇのパパイヤ粉末を懸濁させ、室温で４日間振とう（振幅１２ｃｍ、１００ｒｐｍ）した。
【００１１】
振とう後のパパイヤ粉末を遠心分離し、逆浸透膜で精製した水で３回洗浄した後、パパイヤ粉末を減圧乾燥し、原子吸光分光光度計により亜鉛を定量した（図１）。
【００１２】
［結果と考察］
パパイヤ粉末は、溶液の濃度に依存して亜鉛の含有量が増加し、３０，０００ｐｐｍ以上の濃度でほぼ飽和に達した。
【図面の簡単な説明】
【００１３】
【図１】乾燥パパイヤ粉末に取り込まれた亜鉛濃度に及ぼす液中の亜鉛濃度との関係を示す。
【図１】
2006061168.tif 000002
(57)【要約】【課題】日本における真珠業界は、海外の安価な真珠が輸入され既存の真珠養殖方法での収入による生活が困難になっている、本発明は異色の真珠、し好に応じた染色、或いは色素等の自由な真珠色を作成することである。【解決の手段】実験結果により、アコヤ貝類等に核を挿入後、若しくは水温・赤潮等の自然環境での飼育が難しく死亡率も高いが、既存の方法と比較してほぼ安定した収穫が得られることがわかった、また今回の実験ではエメラルド・ゴールド色真珠を作成することが出来、異色、若しくはし好に応じた異色の真珠が出来る事で問題を解決した。【選択図】    なし【特許請求の範囲】
【請求項１】
真珠養殖に関する異色真珠を作成する方法で、アコヤ貝類等の貝類に核を挿入した後、色素・生物類・染色・有機無機類等を海水に混入し浸す方法とアコヤ貝類等の貝類に核を挿入した後、注射器類等で色素・生物類・染色・有機無機物液類等を核に注入する方法、若しくは鉱物及び染色作成鉱物材料を見掛の異色核を挿入する事で異色の真珠を作成することを特徴とする。
【発明の詳細な説明】
【発明の詳細な説明】
【技術分野】
【０００１】本発明は、アコヤ貝類等の貝類の、異色の真珠を作成する方法である。
【背景技術】
【０００２】既存では、自然環境における状況で貝類等の貝類に核を挿入し真珠を作成しているが異色の真珠が確立していない。
【発明者が解決しようとする課題】
【０００３】アコヤ貝類等の貝類に色素・生物類・染色・有機無機物を排水と浸し、又は注射器で注入し、若しくは異色の鉱物や染色作成鉱物類等を見掛の核として挿入し、施行に応じた異色の真珠を作成することである。
【課題を解決する為の手段】
【０００４】本発明は、色素や生物、染色や有機無機類等を海水に浸しアコヤカニ類等の貝類に核を挿入し、または注射器で注入、或いは染色鉱物を見掛の核として異色の真珠を作成すること。
【発明の実態の形態】
【０００５】本発明は、海水や人口海水にて色素・染色剤類等を混入しアコヤ貝類等の貝類に核を挿入した貝類を浸し、また色素・生物類等・染色を注射器類等で注入し、若しくは鉱物や作成した染色鉱物類等を見掛の核として実施し、問題を解決した。
【実施例】
【０００６】以下本発明をさらに詳細に説明する。
今回はアコヤ貝類等の貝類に核を挿入した後、色素や染料剤類等を海水と混合し浸し、また同様の貝類等に色素・生物・染色を注射器で核の部位に注入、若しくは作成した色のついた鉱物類等を核の見掛材料として挿入し１５ヶ月を経て確認したところ何れも可能にした。